(57)【要約】【課題】１回のファイル転送要求に対して、複数のシングルページファイルをアーカイブすることなく、所望のページ数のファイルを複数得ることができるファイル転送システム、画像処理装置、端末装置、及びブラウザプログラムを提供する。【解決手段】ファイル転送システム９０は、画像形成装置１０と、端末装置４０と、を備える。画像形成装置１０は、マルチページファイルの分割が指定されたファイル転送要求を受け付けた場合に、複数のページを１つのファイルにしたマルチページファイルを作成し、作成したマルチページファイルを端末装置４０に送信する。端末装置４０は、画像形成装置１０から受信したマルチページファイルを、複数の予め定められたページ数のファイルに分割する。【選択図】図１
2019168988.tif 000002
【特許請求の範囲】
【請求項１】
マルチページファイルの分割が指定されたファイル転送要求を受け付けた場合に、複数のページを１つのファイルにしたマルチページファイルを作成する作成部、及び、前記作成部により作成されたマルチページファイルを送信する送信部を含む画像処理装置と、
前記送信部から受信したマルチページファイルを、複数の予め定められたページ数のファイルに分割する分割部を含む端末装置と、
を備えたファイル転送システム。
【請求項２】
前記端末装置は、前記分割部により分割された複数のファイルを指定の格納先に格納する格納部を更に備えた請求項１に記載のファイル転送システム。
【請求項３】
前記格納部は、前記複数のファイルの全てを前記指定の格納先に自動的に格納する請求項２に記載のファイル転送システム。
【請求項４】
前記格納部は、前記複数のファイルのうちユーザにより指定されたファイルのみを前記指定の格納先に格納する請求項２に記載のファイル転送システム。
【請求項５】
前記端末装置は、前記複数のファイルのページ毎のサムネイル画像を、前記ユーザにより指定可能に表示部に表示させる制御を行う制御部を更に備えた請求項４に記載のファイル転送システム。
【請求項６】
前記格納部は、前記表示部に表示された前記複数のファイルのページ毎のサムネイル画像の中で、前記ユーザによりサムネイル画像が指定されなかったファイルを削除する請求項５に記載のファイル転送システム。
【請求項７】
前記端末装置は、前記ファイル転送要求を受け付けるための受付画面を表示部に表示させる制御を行う制御部を更に備えた請求項１〜４のいずれか１項に記載のファイル転送システム。
【請求項８】
前記受付画面は、前記マルチページファイルを前記複数のファイルに分割するか否かの指定を更に受け付ける請求項７に記載のファイル転送システム。
【請求項９】
前記受付画面は、前記マルチページファイルを前記複数のファイルに分割する場合、前記複数のファイルの各々に割り当てるページ数の指定を更に受け付ける請求項８に記載のファイル転送システム。
【請求項１０】
前記受付画面は、前記作成部によりマルチページファイルが作成された後に、前記マルチページファイルの送信を要求するか否かを確認するための確認画面を表示させる第１モード、及び、前記作成部によりマルチページファイルが作成された後に、前記確認画面を表示させることなく、前記マルチページファイルを送信させる第２モードのいずれか一方の指定を更に受け付ける請求項７〜９のいずれか１項に記載のファイル転送システム。
【請求項１１】
前記画像処理装置は、複数ページの原稿を読み取って複数ページの画像情報を得る読取部を更に備え、
前記読取部は、前記受付画面を介して前記ファイル転送要求を受け付けた場合に、前記複数ページの原稿の読取動作を開始する請求項７〜１０のいずれか１項に記載のファイル転送システム。
【請求項１２】
前記マルチページファイルは、前記複数ページの画像情報を含む請求項１１に記載のファイル転送システム。
【請求項１３】
請求項１〜１２のいずれか１項に記載のファイル転送システムが備える画像処理装置。
【請求項１４】
請求項１〜１２のいずれか１項に記載のファイル転送システムが備える端末装置。
【請求項１５】
コンピュータを、請求項１４に記載の端末装置が備える各部として機能させるための、Ｊａｖａ Ｓｃｒｉｐｔ Ｆｉｌｅ ＡＰＩを利用可能なブラウザプログラム。
【発明の詳細な説明】
【技術分野】
【０００１】
本発明は、ファイル転送システム、画像処理装置、端末装置、及びブラウザプログラムに関する。
【背景技術】
【０００２】
例えば、特許文献１には、ユーザからの要求に応じて所定の宛先へファイルを転送するファイル転送方法が記載されている。このファイル転送方法では、ユーザによって要求された転送対象となるファイルがシングルページ構成であるか否かを判断し、ファイルがシングルページ構成である場合、ユーザによって複数のファイルが転送対象として要求されているか否かを判断する。そして、このファイル転送方法では、複数のファイルが転送対象となっており、フォルダを作成する設定になっている場合、フォルダを作成して複数のファイルをフォルダ内に格納し、複数のファイルをフォルダと共にアーカイブして所定の宛先に転送する。
【先行技術文献】
【特許文献】
【０００３】
【特許文献１】特開２００６−２０９３７２号公報
【発明の概要】
【発明が解決しようとする課題】
【０００４】
ところで、ＨＴＴＰ（Hypertext Transfer Protocol）通信を行う場合に、「１回のファイル転送要求に対して、複数のシングルページファイルを個別に転送できない。」という制約がある。ここでいうシングルページファイルとは、予め定められたファイル形式の１ページのみからなるファイルを意味する。この制約に対して、複数回のファイル転送要求を送信して、複数のシングルページファイルを個別に取得する方法、あるいは、１回のファイル転送要求を送信して、複数のシングルページファイルをアーカイブした１つのアーカイブファイルを取得する方法、のいずれかの方法により対応している。しかしながら、これらの方法はいずれも手間がかかるため、手間のかからない方法が望まれている。
【０００５】
本発明は、１回のファイル転送要求に対して、複数のシングルページファイルをアーカイブすることなく、所望のページ数のファイルを複数得ることができるファイル転送システム、画像処理装置、端末装置、及びブラウザプログラムを提供することを目的とする。
【課題を解決するための手段】
【０００６】
上記目的を達成するために、請求項１に記載のファイル転送システムは、マルチページファイルの分割が指定されたファイル転送要求を受け付けた場合に、複数のページを１つのファイルにしたマルチページファイルを作成する作成部、及び、前記作成部により作成されたマルチページファイルを送信する送信部を含む画像処理装置と、前記送信部から受信したマルチページファイルを、複数の予め定められたページ数のファイルに分割する分割部を含む端末装置と、を備えている。
【０００７】
また、請求項２に記載のファイル転送システムは、請求項１に記載の発明において、前記端末装置が、前記分割部により分割された複数のファイルを指定の格納先に格納する格納部を更に備えている。
【０００８】
また、請求項３に記載のファイル転送システムは、請求項２に記載の発明において、前記格納部が、前記複数のファイルの全てを前記指定の格納先に自動的に格納する。
【０００９】
また、請求項４に記載のファイル転送システムは、請求項２に記載の発明において、前記格納部が、前記複数のファイルのうちユーザにより指定されたファイルのみを前記指定の格納先に格納する。
【００１０】
また、請求項５に記載のファイル転送システムは、請求項４に記載の発明において、前記端末装置が、前記複数のファイルのページ毎のサムネイル画像を、前記ユーザにより指定可能に表示部に表示させる制御を行う制御部を更に備えている。
【００１１】
また、請求項６に記載のファイル転送システムは、請求項５に記載の発明において、前記格納部が、前記表示部に表示された前記複数のファイルのページ毎のサムネイル画像の中で、前記ユーザによりサムネイル画像が指定されなかったファイルを削除する。
【００１２】
また、請求項７に記載のファイル転送システムは、請求項１〜４のいずれか１項に記載の発明において、前記端末装置が、前記ファイル転送要求を受け付けるための受付画面を表示部に表示させる制御を行う制御部を更に備えている。
【００１３】
また、請求項８に記載のファイル転送システムは、請求項７に記載の発明において、前記受付画面が、前記マルチページファイルを前記複数のファイルに分割するか否かの指定を更に受け付ける。
【００１４】
また、請求項９に記載のファイル転送システムは、請求項８に記載の発明において、前記受付画面が、前記マルチページファイルを前記複数のファイルに分割する場合、前記複数のファイルの各々に割り当てるページ数の指定を更に受け付ける。
【００１５】
また、請求項１０に記載のファイル転送システムは、請求項７〜９のいずれか１項に記載の発明において、前記受付画面が、前記作成部によりマルチページファイルが作成された後に、前記マルチページファイルの送信を要求するか否かを確認するための確認画面を表示させる第１モード、及び、前記作成部によりマルチページファイルが作成された後に、前記確認画面を表示させることなく、前記マルチページファイルを送信させる第２モードのいずれか一方の指定を更に受け付ける。
【００１６】
また、請求項１１に記載のファイル転送システムは、請求項７〜１０のいずれか１項に記載の発明において、前記画像処理装置が、複数ページの原稿を読み取って複数ページの画像情報を得る読取部を更に備え、前記読取部が、前記受付画面を介して前記ファイル転送要求を受け付けた場合に、前記複数ページの原稿の読取動作を開始する。
【００１７】
また、請求項１２に記載のファイル転送システムは、請求項１１に記載の発明において、前記マルチページファイルが、前記複数ページの画像情報を含んでいる。
【００１８】
一方、上記目的を達成するために、請求項１３に記載の画像処理装置は、請求項１〜１２のいずれか１項に記載のファイル転送システムが備える画像処理装置とされている。
【００１９】
一方、上記目的を達成するために、請求項１４に記載の端末装置は、請求項１〜１２のいずれか１項に記載のファイル転送システムが備える端末装置とされている。
【００２０】
更に、上記目的を達成するために、請求項１５に記載のブラウザプログラムは、コンピュータを、請求項１４に記載の端末装置が備える各部として機能させるための、Ｊａｖａ Ｓｃｒｉｐｔ Ｆｉｌｅ ＡＰＩを利用可能とされている。
【発明の効果】
【００２１】
請求項１、請求項１３、請求項１４、及び請求項１５に係る発明によれば、１回のファイル転送要求に対して、複数のシングルページファイルをアーカイブすることなく、所望のページ数のファイルを複数得ることができる。
【００２２】
請求項２に係る発明によれば、分割後の複数のファイルを指定の格納先に格納しない場合と比較して、利便性の向上を図ることができる。
【００２３】
請求項３に係る発明によれば、分割後の全てのファイルを自動的に格納しない場合と比較して、より利便性を向上させることができる。
【００２４】
請求項４に係る発明によれば、分割後の全てのファイルを格納する場合と比較して、不要なファイルが格納されることを防止することができる。
【００２５】
請求項５に係る発明によれば、ユーザが必要とするファイルを確認しながら指定することができる。
【００２６】
請求項６に係る発明によれば、指定されなかったサムネイル画像のファイルを削除しない場合と比較して、不要なファイルが格納されることを防止することができる。
【００２７】
請求項７に係る発明によれば、ファイル転送要求の受付画面を表示させない場合と比較して、より利便性を向上させることができる。
【００２８】
請求項８に係る発明によれば、マルチページファイルを分割するか否かの指定を受け付けない場合と比較して、より利便性を向上させることができる。
【００２９】
請求項９に係る発明によれば、複数のファイルの各々に割り当てるページ数の指定を受け付けない場合と比較して、より利便性を向上させることができる。
【００３０】
請求項１０に係る発明によれば、確認画面を表示させるモード及び確認画面を表示させないモードの選択指定を受け付けない場合と比較して、より利便性を向上させることができる。
【００３１】
請求項１１に係る発明によれば、ファイル転送要求を受け付けた場合に複数ページの原稿の読取動作を開始させない場合と比較して、より利便性を向上させることができる。
【００３２】
請求項１２に係る発明によれば、複数ページの原稿を読み取って得られた複数ページの画像情報を含むマルチページファイルを得ることができる。
【図面の簡単な説明】
【００３３】
【図１】第１の実施形態に係るファイル転送システムの構成の一例を示すブロック図である。
【図２】第１の実施形態に係る画像形成装置の電気的な構成の一例を示すブロック図である。
【図３】第１の実施形態に係る端末装置の電気的な構成の一例を示すブロック図である。
【図４】第１の実施形態に係る画像形成装置の機能的な構成の一例を示すブロック図である。
【図５】第１の実施形態に係る端末装置の機能的な構成の一例を示すブロック図である。
【図６】第１の実施形態に係る画像形成装置及び端末装置を用いたファイル転送処理の流れの一例を示すシーケンス図である。
【図７】第１の実施形態に係る受付画面の一例を示す正面図である。
【図８】実施形態に係るマルチページファイルの分割単位の一例を示す図である。
【図９】実施形態に係るマルチページファイルの分割単位の他の例を示す図である。
【図１０】実施形態に係る分割後のシングルページファイルの一例を示す図である。
【図１１】実施形態に係る分割後のマルチページファイルの一例を示す図である。
【図１２】第２の実施形態に係る端末装置の機能的な構成の一例を示すブロック図である。
【図１３】第２の実施形態に係るページ毎のサムネイル画像の一例を示す図である。
【図１４】第２の実施形態に係る画像形成装置及び端末装置を用いたファイル転送処理の流れの一例を示すシーケンス図である。
【図１５】第２の実施形態に係る受付画面の一例を示す正面図である。
【図１６】第２の実施形態に係る確認画面の一例を示す正面図である。
【図１７】第２の実施形態に係る分割確認画面及び格納先指定画面の一例を示す正面図である。
【図１８】第３の実施形態に係る受付画面、確認画面、及び結果画面の一例を示す正面図である。
【発明を実施するための形態】
【００３４】
以下、図面を参照して、本発明を実施するための形態の一例について詳細に説明する。
【００３５】
［第１の実施形態］
図１は、第１の実施形態に係るファイル転送システム９０の構成の一例を示すブロック図である。
図１に示すように、本実施形態に係るファイル転送システム９０は、画像形成装置１０と、端末装置４０と、を備えている。
【００３６】
本実施形態に係る画像形成装置１０は、画像処理装置の一例であり、ネットワークＮを介して、端末装置４０と接続されている。なお、ネットワークＮには、一例として、インターネットや、ＬＡＮ（Local Area Network）、ＷＡＮ（Wide Area Network）等が適用される。また、この画像処理装置は、画像形成機能や画像読取機能等を備えた画像形成装置１０に限定されず、例えば、画像読取機能のみを備えた画像読取装置等を適用してもよい。
【００３７】
本実施形態に係る端末装置４０は、一例として、パーソナルコンピュータ（ＰＣ：Personal Computer）等の汎用的なコンピュータや、スマートフォン、タブレット端末等の携帯型の端末装置等が適用される。
【００３８】
本実施形態に係るファイル転送システム９０では、画像形成装置１０と端末装置４０との間でＨＴＴＰ通信が行われる。端末装置４０には、一般的なＯＳ（Operating System）で動作する所謂Ｗｅｂブラウザがインストールされている。画像形成装置１０は、端末装置４０のＷｅｂブラウザからのＨＴＴＰリクエストを受け付け、受け付けたＨＴＴＰリクエストに応じたＨＴＴＰレスポンスを端末装置４０に返す。このＨＴＴＰレスポンスには、Ｗｅｂページが含まれており、このＷｅｂページには、画像形成装置１０からのファイル転送処理を制御するための制御用スクリプトが組み込まれている。端末装置４０では、Ｗｅｂブラウザを用いてＷｅｂページの制御用スクリプトを実行することで、画像形成装置１０からのファイル転送処理を実現する。なお、この制御用スクリプトとしては、一例として、Ｊａｖａ Ｓｃｒｉｐｔ（登録商標）が適用されるが、これに限定されるものではない。
【００３９】
本実施形態に係る端末装置４０は、Ｗｅｂブラウザを用いて画像形成装置１０に対して、マルチページファイルの分割が指定されたファイル転送要求をＨＴＴＰリクエストとして送信する。このファイル転送要求を受け付けた画像形成装置１０は、複数ページの原稿を読み取って得られた複数ページの画像情報を含むマルチページファイルをＨＴＴＰレスポンスとして端末装置４０に送信する。ここでいうマルチページファイルとは、予め定められたファイル形式の複数ページからなるファイルを意味する。なお、予め定められたファイル形式としては、一例として、ＰＤＦ（Portable Document Format）、ＪＰＥＧ（Joint Photographic Experts Group）、ＴＩＦＦ（Tagged Image File Format）、ＸＰＳ（XML Paper Specification）、ＸＤＷ（DocuWorks（登録商標）文書の拡張子）等が適用される。
【００４０】
次に、図２及び図３を参照して、画像形成装置１０及び端末装置４０の各々の電気的な構成について説明する。
【００４１】
図２は、第１の実施形態に係る画像形成装置１０の電気的な構成の一例を示すブロック図である。
図２に示すように、本実施形態に係る画像形成装置１０は、制御部１２と、記憶部１４と、表示部１６と、操作部１８と、画像形成部２０と、原稿読取部２２と、通信部２４と、を備えている。
【００４２】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００４３】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００４４】
制御部１２は、画像形成装置１０の一部の動作を制御するサブ制御部として構成されてもよいし、画像形成装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００４５】
記憶部１４としては、例えば、ＨＤＤ（Hard Disk Drive）、ＳＳＤ（Solid State Drive）、フラッシュメモリ等が用いられる。記憶部１４には、本実施形態に係るファイル転送処理を実行するための転送処理プログラム１４Ａが記憶されている。なお、この転送処理プログラム１４Ａは、ＲＯＭ１２Ｂに記憶されていてもよい。
【００４６】
転送処理プログラム１４Ａは、例えば、画像形成装置１０に予めインストールされていてもよい。転送処理プログラム１４Ａは、不揮発性の記憶媒体に記憶して、又はネットワークＮを介して配布して、画像形成装置１０に適宜インストールすることで実現してもよい。なお、不揮発性の記憶媒体の例としては、ＣＤ-ＲＯＭ（Compact Disc Read Only Memory）、光磁気ディスク、ＨＤＤ、ＤＶＤ-ＲＯＭ（Digital Versatile Disc Read Only Memory）、フラッシュメモリ、メモリカード等が想定される。
【００４７】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有している。操作部１８には、テンキーやスタートキー等の各種の操作キーが設けられている。表示部１６及び操作部１８は、画像形成装置１０のユーザから各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００４８】
原稿読取部２２は、画像形成装置１０の上部に設けられた図示しない自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。原稿読取部２２は、読取部の一例である。
【００４９】
画像形成部２０は、原稿読取部２２による読み取りによって得られた画像情報、又は、ネットワークＮを介して接続された外部のＰＣ等から得られた画像情報に基づく画像を、紙等の記録媒体に形成する。なお、本実施形態においては、画像を形成する方式として、電子写真方式を例示して説明するが、インクジェット方式等の他の方式を採用してもよい。
【００５０】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００５１】
通信部２４は、ネットワークＮに接続されており、端末装置４０との間でネットワークＮを介して通信が可能とされる。この例の場合、通信部２４とネットワークＮとは有線で接続されるが、無線で接続してもよい。通信部２４は、ＣＰＵ１２Ａからの指示に基づいて、原稿読取部２２により原稿を読み取って得られた画像情報を予め指定された宛先（ここでは端末装置４０）に転送する。
【００５２】
図３は、第１の実施形態に係る端末装置４０の電気的な構成の一例を示すブロック図である。
図３に示すように、本実施形態に係る端末装置４０は、制御部４２と、記憶部４４と、表示部４６と、操作部４８と、通信部５０と、を備えている。
【００５３】
制御部４２は、ＣＰＵ４２Ａ、ＲＯＭ４２Ｂ、ＲＡＭ４２Ｃ、及びＩ／Ｏ４２Ｄを備えており、これら各部がバスを介して各々接続されている。
【００５４】
Ｉ／Ｏ４２Ｄには、記憶部４４と、表示部４６と、操作部４８と、通信部５０と、を含む各機能部が接続されている。これらの各機能部は、Ｉ／Ｏ４２Ｄを介して、ＣＰＵ４２Ａと相互に通信可能とされる。
【００５５】
記憶部４４としては、例えば、ＨＤＤ、ＳＳＤ、フラッシュメモリ等が用いられる。記憶部４４には、本実施形態に係るＷｅｂブラウザとしての機能を実現するためのブラウザプログラム４４Ａが記憶されている。なお、このブラウザプログラム４４Ａは、ＲＯＭ４２Ｂに記憶されていてもよい。
【００５６】
ブラウザプログラム４４Ａは、画像形成装置１０の転送処理プログラム１４Ａと連携して動作する。ブラウザプログラム４４Ａは、一例として、上述のＪａｖａ Ｓｃｒｉｐｔ（登録商標）に対応しており、Ｊａｖａ Ｓｃｒｉｐｔ Ｆｉｌｅ ＡＰＩ（Application Programming Interface）を利用可能なプログラムである。なお、Ｊａｖａ Ｓｃｒｉｐｔ Ｆｉｌｅ ＡＰＩによれば、Ｗｅｂブラウザを用いて、ローカル（ここでは画像形成装置１０）のファイルをＪａｖａ Ｓｃｒｉｐｔ（登録商標）のコードによって制御する機能が実現される。ブラウザプログラム４４Ａは、例えば、端末装置４０に予めインストールされていてもよい。ブラウザプログラム４４Ａは、不揮発性の記憶媒体に記憶して、又はネットワークＮを介して配布して、端末装置４０に適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００５７】
表示部４６には、例えば、液晶ディスプレイ（ＬＣＤ）や有機ＥＬディスプレイ等が用いられる。表示部４６は、タッチパネルを一体的に有していてもよい。操作部４８には、操作入力用のマウスやキーボード等が設けられている。表示部４６及び操作部４８は、端末装置４０のユーザから各種の指示を受け付ける。この各種の指示には、例えば、原稿の読み取りを開始させる指示等が含まれる。表示部４６は、ユーザから受け付けた指示に応じて実行された処理の結果や、処理に対する通知等の各種の情報を表示する。
【００５８】
通信部５０は、ネットワークＮに接続されており、画像形成装置１０との間でネットワークＮを介して通信が可能とされる。
【００５９】
ところで、上述したように、この種のファイル転送システムでは、ＨＴＴＰ通信を行う場合に、「１回のファイル転送要求に対して、複数のシングルページファイルを個別に転送できない。」という制約がある。この制約に対して、複数回のファイル転送要求を送信して、複数のシングルページファイルを個別に取得する方法、あるいは、１回のファイル転送要求を送信して、複数のシングルページファイルをアーカイブした１つのアーカイブファイルを取得する方法、のいずれかの方法により対応している。しかしながら、これらの方法はいずれも手間がかかるため、手間のかからない方法が望まれている。
【００６０】
このため、本実施形態に係る画像形成装置１０のＣＰＵ１２Ａは、記憶部１４に記憶されている転送処理プログラム１４ＡをＲＡＭ１２Ｃに書き込んで実行することにより、図４に示す各部として機能する。
【００６１】
図４は、第１の実施形態に係る画像形成装置１０の機能的な構成の一例を示すブロック図である。
図４に示すように、本実施形態に係る画像形成装置１０のＣＰＵ１２Ａは、作成部３０及び送信部３２として機能する。
【００６２】
本実施形態に係る作成部３０は、マルチページファイルの分割が指定されたファイル転送要求を受け付けた場合に、複数のページを１つのファイルにしたマルチページファイルを作成する。本実施形態に係るマルチページファイルのファイル形式には、一例として、ＰＤＦ形式が適用される。また、マルチページファイルは、原稿読取部２２により複数ページの原稿を読み取って得られた複数ページの画像情報を含んでいる。本実施形態においては、一例として、後述する端末装置４０の受付画面からファイル転送要求を受け付けた場合について説明するが、画像形成装置１０のＵＩ（User Interface）画面からファイル転送要求を受け付けてもよい。
【００６３】
本実施形態に係る送信部３２は、作成部３０により作成されたマルチページファイルを端末装置４０に送信する。
【００６４】
一方、本実施形態に係る端末装置４０のＣＰＵ４２Ａは、記憶部４４に記憶されているブラウザプログラム４４ＡをＲＡＭ４２Ｃに書き込んで実行することにより、図５に示す各部として機能する。
【００６５】
図５は、第１の実施形態に係る端末装置４０の機能的な構成の一例を示すブロック図である。
図５に示すように、本実施形態に係る端末装置４０のＣＰＵ４２Ａは、表示制御部６０、送信部６２、分割部６４、及び格納部６６として機能する。なお、表示制御部６０は、制御部の一例である。
【００６６】
本実施形態に係る表示制御部６０は、ファイル転送要求を受け付けるための受付画面を表示部４６に表示させる制御を行う。表示制御部６０は、一例として、後述の図７に示す受付画面を表示部４６に表示させる。
【００６７】
本実施形態に係る送信部６２は、表示部４６に表示された受付画面により受け付けたファイル転送要求を画像形成装置１０に送信する。つまり、上述したように、ファイル転送要求を受け付けた画像形成装置１０は、原稿読取部２２及び作成部３０によって、複数ページの原稿を読み取って得られた複数ページの画像情報を用いてマルチページファイルを作成する。そして、画像形成装置１０は、送信部３２によって、作成したマルチページファイルを端末装置４０に送信する。
【００６８】
本実施形態に係る分割部６４は、送信部３２から受信したマルチページファイルを、複数の予め定められたページ数のファイルに分割する。なお、マルチページファイルを分割するか否かの指定、及び、分割後の複数のファイルの各々に割り当てるページ数の指定等の情報は、一例として、図７に示す受付画面から取得される。マルチページファイルの分割が指定され、かつ、ページ数の一例として「１」ページが指定されていれば、複数の１ページ構成のシングルページファイルに分割される。また、ページ数の一例として「２」ページが指定されていれば、複数の２ページ構成のマルチページファイルに分割される。
【００６９】
本実施形態に係る格納部６６は、分割部６４により分割された複数のファイルを指定の格納先に格納する。本実施形態においては、分割後の複数のファイルの全てが記憶部４４の「C:\User\Folder」で表されるフォルダに自動的に格納される。
【００７０】
次に、図６を参照して、第１の実施形態に係る画像形成装置１０及び端末装置４０の各々の作用を説明する。なお、図６は、第１の実施形態に係る画像形成装置１０及び端末装置４０を用いたファイル転送処理の流れの一例を示すシーケンス図である。
【００７１】
まず、端末装置４０は、ユーザによる所定の操作入力を受け付けると、ブラウザプログラム４４Ａを起動させ、以下に示す各ステップを実行する。
【００７２】
図６のステップＳ１では、表示制御部６０が、Ｗｅｂブラウザのホーム画面（図示省略）を表示部４６に表示させる制御を行う。このホーム画面には、Ｗｅｂブラウザから実行可能な各種機能の項目が表示されており、その中の機能の１つとして「Ｗｅｂページスキャン」も表示されている。この「Ｗｅｂページスキャン」とは、Ｗｅｂページを用いたスキャン画像のファイル転送機能を表している。
【００７３】
ステップＳ２では、送信部６２が、ユーザの操作より「Ｗｅｂページスキャン」が選択されると、画像形成装置１０に対して、スキャン設定情報を含むＷｅｂページの送信を要求するためのスキャン設定情報要求を送信する。なお、説明を簡略にするために、ホーム画面の別の機能が選択された場合についての説明は省略する。
【００７４】
一方、画像形成装置１０は、端末装置４０からスキャン設定情報要求を受信すると、転送処理プログラム１４Ａを起動させ、以下に示す各ステップを実行する。
【００７５】
ステップＳ３では、送信部３２が、ステップＳ２で端末装置４０から送信されたスキャン設定情報要求に応じて、スキャン設定情報を含むＷｅｂページを端末装置４０に送信する。このＷｅｂページには、上述したように、ファイル転送処理を制御するための制御用スクリプト（ここではＪａｖａ Ｓｃｒｉｐｔ（登録商標）とする。）が組み込まれている。
【００７６】
ステップＳ４では、端末装置４０の表示制御部６０が、送信部３２から受信した、スキャン設定情報を含むＷｅｂページに基づいて、一例として、図７に示す受付画面を表示部４６に表示させる。
【００７７】
図７は、第１の実施形態に係る受付画面４６Ａの一例を示す正面図である。
図７に示すように、本実施形態に係る受付画面４６Ａには、画像形成装置１０の、この時点のスキャン設定の内容が設定項目毎に表示されている。
【００７８】
図７に示す受付画面４６Ａには、設定項目の一例として、「カラー」、「解像度」、「原稿サイズ」、「フォーマット」、「分割指定」、「分割単位」、及び「画像取得方法」が含まれている。各設定項目は、ユーザの操作により所望の設定値が指定可能とされている。
【００７９】
ここで、「分割指定」は、マルチページファイルを複数のファイルに分割するか否かを指定するための項目である。「有」が指定されると、下段の「分割単位」が指定可能となり、「無」が指定されると、「分割単位」はグレーアウト表示され、指定できない状態となる。なお、図中で「有」がこの時点で指定されていることを表している。「分割単位」は、マルチページファイルを複数のファイルに分割する場合に、複数のファイルの各々に割り当てるページ数を指定するための項目である。「分割単位」として、例えば、１ページが指定された場合、図８に示すように分割され、複数ページが指定された場合、図９に示すように分割される。
【００８０】
図８は、本実施形態に係るマルチページファイルの分割単位の一例を示す図である。
図８に示すように、１ページが指定された場合、マルチページファイルは１ページずつ分割されるように設定される。
【００８１】
図９は、本実施形態に係るマルチページファイルの分割単位の他の例を示す図である。
図９に示すように、複数ページが指定された場合、マルチページファイルは複数ページ（図９に示す例では２ページ）ずつ分割されるように設定される。
【００８２】
次に、図６のステップＳ５では、端末装置４０の送信部６２が、ユーザの操作により、図７に示す受付画面４６Ａの「開始」ボタンの入力を受け付けた場合、受付画面４６Ａで受け付けた設定内容を含むファイル転送要求を画像形成装置１０に送信する。
【００８３】
ステップＳ６では、画像形成装置１０の作成部３０が、ステップＳ５で端末装置４０から送信されたファイル転送要求に応じて、原稿読取部２２により複数ページの原稿を読み取って得られた複数ページの画像情報を用いてマルチページファイルを作成する。
【００８４】
ステップＳ７では、画像形成装置１０の送信部３２が、ステップＳ６で作成されたマルチページファイルを端末装置４０に送信する。
【００８５】
ステップＳ８では、端末装置４０の分割部６４が、送信部３２から受信したマルチページファイルを、図７に示す受付画面４６Ａで受け付けた「分割指定」及び「分割単位」の設定内容に基づいて、複数のファイルに分割する。
【００８６】
ステップＳ９では、端末装置４０の格納部６６が、一例として、図１０及び図１１に示すように、ステップＳ８で分割された複数のファイルの全てを、予め指定された格納先に自動的に格納し、本実施形態に係るブラウザプログラム４４Ａ及び転送処理プログラム１４Ａによる一連の処理を終了する。
【００８７】
図１０は、本実施形態に係る分割後のシングルページファイル７０Ａ〜７０Ｃの一例を示す図である。
図１０に示す分割後のシングルページファイル７０Ａ〜７０Ｃは、記憶部４４の「C:\User\Folder」で表されるフォルダに自動的に格納される。なお、図１０に示す分割後のシングルページファイル７０Ａ〜７０Ｃは、図８に示すマルチページファイルを分割して得られたファイルである。
【００８８】
図１１は、本実施形態に係る分割後のマルチページファイル７２Ａ〜７２Ｃの一例を示す図である。
図１１に示す分割後のマルチページファイル７２Ａ〜７２Ｃは、図１０の場合と同様に、記憶部４４の「C:\User\Folder」で表されるフォルダに自動的に格納される。なお、図１１に示す分割後のマルチページファイル７２Ａ〜７２Ｃは、図９に示すマルチページファイルを分割して得られたファイルである。
【００８９】
このように本実施形態によれば、１回のファイル転送要求に対して、複数のシングルページファイルをアーカイブすることなく、所望のページ数のファイルが複数得られる。このため、ユーザに対して高い利便性が提供される。
【００９０】
［第２の実施形態］
上記第１の実施形態では、分割後の複数のファイルの全てを、予め指定された格納先に自動的に格納する形態について説明した。本実施形態では、分割後の複数のファイルのうちユーザにより指定されたファイルのみを選択的に格納する形態について説明する。
【００９１】
図１２は、第２の実施形態に係る端末装置４１の機能的な構成の一例を示すブロック図である。
図１２に示すように、本実施形態に係る端末装置４１は、表示制御部６１、送信部６２、分割部６４、及び格納部６７を備えている。なお、第１の実施形態に示す端末装置４０と同一の機能を有する構成要素には同一の符号を付し、繰り返しの説明は省略する。
【００９２】
本実施形態に係る表示制御部６１は、一例として、図１３に示すような、分割後の複数のファイルのページ毎のサムネイル画像を、ユーザにより指定可能に表示部４６に表示させる制御を行う。サムネイル画像は、画像形成装置１０で生成して画像形成装置１０から取得してもよいし、端末装置４１で生成してもよい。
【００９３】
図１３は、第２の実施形態に係るページ毎のサムネイル画像の一例を示す図である。
図１３に示すように、本実施形態に係るページ毎のサムネイル画像は、ユーザにより指定可能に表示部４６に表示されている。
【００９４】
本実施形態に係る格納部６７は、表示部４６に表示されたページ毎のサムネイル画像のうちユーザにより指定されたサムネイル画像のファイルのみを、記憶部４４の「C:\User\Folder」で表されるフォルダに格納する。この場合、格納部６７は、ユーザによりサムネイル画像が指定されなかったファイルを削除することが望ましい。
【００９５】
次に、図１４を参照して、第２の実施形態に係る画像形成装置１０及び端末装置４１の各々の作用を説明する。なお、図１４は、第２の実施形態に係る画像形成装置１０及び端末装置４１を用いたファイル転送処理の流れの一例を示すシーケンス図である。
【００９６】
まず、端末装置４１は、ユーザによる所定の操作入力を受け付けると、ブラウザプログラム４４Ａを起動させ、以下に示す各ステップを実行する。
【００９７】
図１４のステップＳ１１では、表示制御部６１が、Ｗｅｂブラウザのホーム画面（図示省略）を表示部４６に表示させる制御を行う。
【００９８】
ステップＳ１２では、送信部６２が、ユーザの操作より「Ｗｅｂページスキャン」が選択されると、画像形成装置１０に対して、スキャン設定情報を含むＷｅｂページの送信を要求するためのスキャン設定情報要求を送信する。
【００９９】
一方、画像形成装置１０は、端末装置４１からスキャン設定情報要求を受信すると、転送処理プログラム１４Ａを起動させ、以下に示す各ステップを実行する。
【０１００】
ステップＳ１３では、送信部３２が、ステップＳ１２で端末装置４１から送信されたスキャン設定情報要求に応じて、スキャン設定情報を含むＷｅｂページを端末装置４１に送信する。
【０１０１】
ステップＳ１４では、端末装置４１の表示制御部６１が、送信部３２から受信した、スキャン設定情報を含むＷｅｂページに基づいて、一例として、図１５に示す受付画面を表示部４６に表示させる。
【０１０２】
図１５は、第２の実施形態に係る受付画面４６Ｂの一例を示す正面図である。
図１５に示すように、本実施形態に係る受付画面４６Ｂには、画像形成装置１０の、この時点でのスキャン設定の内容が設定項目毎に表示されている。
【０１０３】
図１５に示す受付画面４６Ｂには、設定項目の一例として、「カラー」、「解像度」、「原稿サイズ」、「フォーマット」、「分割指定」、「分割単位」、「モード指定」、及び「画像取得方法」が含まれている。各設定項目は、ユーザの操作により所望の設定値が指定可能とされている。
【０１０４】
ここで、「モード指定」は、第１モード及び第２モードのいずれか一方を指定するための項目である。第１モードは、画像形成装置１０の作成部３０によりマルチページファイルが作成された後に、一例として、後述の図１６に示すような、マルチページファイルの送信を要求するか否かを確認するための確認画面を表示させるモードである。一方、第２モードは、作成部３０によりマルチページファイルが作成された後に、確認画面を表示させることなく、マルチページファイルを送信させるモードである。なお、図中で「有」及び「第１モード」がこの時点で指定されていることを表している。
【０１０５】
次に、図１４のステップＳ１５では、端末装置４１の送信部６２が、ユーザの操作により、図１５に示す受付画面４６Ｂの「開始」ボタンの入力を受け付けた場合、受付画面４６Ｂで受け付けた設定内容を含むファイル転送要求を画像形成装置１０に送信する。
【０１０６】
ステップＳ１６では、画像形成装置１０の作成部３０が、ステップＳ１５で端末装置４１から送信されたファイル転送要求に応じて、原稿読取部２２により複数ページの原稿を読み取って得られた複数ページの画像情報を用いてマルチページファイルを作成する。
【０１０７】
ステップＳ１７では、画像形成装置１０の送信部３２が、ステップＳ１６でマルチページファイルを作成した後に、確認情報を含むＷｅｂページを端末装置４１に送信する。なお、ここでは、第１モードが指定されているため、確認情報を含むＷｅｂページが送信される。仮に第２モードが指定されていれば、ステップＳ１７〜ステップＳ１９の各処理は不要となる。
【０１０８】
ステップＳ１８では、端末装置４１の表示制御部６１が、送信部３２から受信した、確認情報を含むＷｅｂページに基づいて、一例として、図１６に示す確認画面を表示部４６に表示させる。
【０１０９】
図１６は、第２の実施形態に係る確認画面４６Ｃの一例を示す正面図である。
図１６に示すように、本実施形態に係る確認画面４６Ｃは、マルチページファイルの送信を要求するか否かを確認するための画面である。
【０１１０】
図１６に示す確認画面４６Ｃには、設定確認項目の一例として、「分割指定」及び「サムネイル指定」が含まれている。この時点では「分割指定」が「有」に指定され、「サムネイル指定」も「有」に指定されている。
【０１１１】
次に、図１４のステップＳ１９では、端末装置４１の送信部６２が、ユーザの操作により、図１６に示す確認画面４６Ｃの「取得」ボタンの入力を受け付けた場合、確認画面４６Ｃで受け付けた設定内容を含むダウンロード要求を画像形成装置１０に送信する。
【０１１２】
ステップＳ２０では、画像形成装置１０の送信部３２が、ステップＳ１９で端末装置４１から送信されたダウンロード要求に応じて、ステップＳ１６で作成されたマルチページファイルに加え、ページ毎のサムネイル画像を端末装置４０に送信する。ここでは、確認画面４６Ｃの「サムネイル指定」が「有」のため、ページ毎のサムネイル画像が生成されマルチページファイルと共に送信される。
【０１１３】
ステップＳ２１では、端末装置４１の表示制御部６１が、ステップＳ２０で画像形成装置１０から送信されたマルチページファイル及びページ毎のサムネイル画像の受信に応じて、一例として、図１７に示す分割確認画面及び格納先指定画面を表示部４６に表示させる。
【０１１４】
図１７は、第２の実施形態に係る分割確認画面４６Ｄ及び格納先指定画面４６Ｅの一例を示す正面図である。
図１７に示すように、本実施形態に係る分割確認画面４６Ｄは、マルチページファイルを分割して格納してもよいか否かを確認するための画面である。この分割確認画面４６Ｄで「はい」が指定された場合、格納先指定画面４６Ｅが表示される。この格納先指定画面４６Ｅでは、ユーザにより所望の格納先が指定される。
【０１１５】
次に、図１４のステップＳ２２では、端末装置４１の分割部６４が、送信部３２から受信したマルチページファイルを、図１５に示す受付画面４６Ｂで受け付けた「分割指定」及び「分割単位」の設定内容に基づいて、複数のファイルに分割する。
【０１１６】
ステップＳ２３では、端末装置４１の表示制御部６１が、ステップＳ２２で分割された複数のファイルのページ毎のサムネイル画像（一例として図１３を参照）を表示部４６に表示させる。
【０１１７】
ステップＳ２４では、端末装置４１の格納部６６が、ステップＳ２３で表示部４６に表示されたページ毎のサムネイル画像のうちユーザにより指定されたサムネイル画像のファイルを、ステップＳ２１で指定された格納先に格納する。
【０１１８】
ステップＳ２５では、格納部６６が、ステップＳ２４でユーザにより指定されなかったサムネイル画像のファイルを削除し、本実施形態に係るブラウザプログラム４４Ａ及び転送処理プログラム１４Ａによる一連の処理を終了する。
【０１１９】
このように本実施形態によれば、１回のファイル転送要求に対して、複数のシングルページファイルをアーカイブすることなく、分割後の複数のファイルのうちユーザが所望するファイルのみが選択的に得られる。
【０１２０】
［第３の実施形態］
上記第１、第２の実施形態では、Ｗｅｂブラウザ（ブラウザプログラム４４Ａ）の種別が「Ｊａｖａ Ｓｃｒｉｐｔ Ｆｉｌｅ ＡＰＩ」を利用可能な種別である場合の形態について説明した。本実施形態では、Ｗｅｂブラウザの種別が「Ｊａｖａ Ｓｃｒｉｐｔ Ｆｉｌｅ ＡＰＩ」を利用できない種別の場合の形態について説明する。
【０１２１】
本実施形態に係る画像形成装置１０は、一例として端末装置４０から送信されてくるＨＴＴＰリクエストからＷｅｂブラウザの種別を判定する。Ｗｅｂブラウザの種別は、例えば、ＨＴＴＰリクエストに含まれるＵｓｅｒ Ａｇｅｎｔ情報により判定される。画像形成装置１０は、Ｕｓｅｒ Ａｇｅｎｔ情報から、Ｗｅｂブラウザの種別が「Ｊａｖａ Ｓｃｒｉｐｔ Ｆｉｌｅ ＡＰＩ」を利用可能な種別であると判定した場合、例えばＰＤＦ形式のマルチページファイルを出力し、Ｗｅｂブラウザの種別が「Ｊａｖａ Ｓｃｒｉｐｔ Ｆｉｌｅ ＡＰＩ」を利用できない種別であると判定した場合、例えばＪＰＥＧ形式の複数のシングルページファイルをアーカイブして得られる１つのアーカイブファイルを出力する。このアーカイブファイルのファイル形式としては、一例として、Ｚｉｐ形式やＬＺＨ形式等のファイル形式が適用される。
【０１２２】
図１８は、第３の実施形態に係る受付画面４６Ｆ、確認画面４６Ｇ、及び結果画面４６Ｈの一例を示す正面図である。
図１８に示すように、Ｗｅｂブラウザの種別が「Ｊａｖａ Ｓｃｒｉｐｔ Ｆｉｌｅ ＡＰＩ」を利用できない種別の場合、端末装置４０の表示部４６には、画像形成装置１０から取得されるＷｅｂページに基づいて、受付画面４６Ｆ、確認画面４６Ｇ、及び結果画面４６Ｈが順に表示される。
【０１２３】
図１８に示す受付画面４６Ｆには、画像形成装置１０の、この時点でのスキャン設定の内容が設定項目毎に表示されている。ここでは、「フォーマット」の項目には、一例としてＪＰＥＧが指定されている。端末装置４０は、ユーザの操作により、受付画面４６Ｆの「開始」ボタンの入力を受け付けた場合、受付画面４６Ｆで受け付けた設定内容を含むファイル転送要求を画像形成装置１０に送信する。このファイル転送要求を受信した画像形成装置１０は、確認情報を含むＷｅｂページを端末装置４０に送信する。
【０１２４】
図１８に示す確認画面４６Ｇは、画像形成装置１０から受信した、確認情報を含むＷｅｂページに基づいて、表示される画面である。端末装置４０は、ユーザの操作により、確認画面４６Ｇの「取得」ボタンの入力を受け付けた場合、確認画面４６Ｇで受け付けた設定内容を含むダウンロード要求を画像形成装置１０に送信する。このダウンロード要求を受信した画像形成装置１０は、一例として、複数のシングルページファイルを１つにまとめた、Ｚｉｐ形式のアーカイブファイルを端末装置４０に送信する。
【０１２５】
図１８に示す結果画面４６Ｈは、画像形成装置１０からアーカイブファイルを受信した場合に表示される画面である。このアーカイブファイルには、一例としてＪＰＥＧ形式の複数のシングルページファイルが含まれている。
【０１２６】
上記で取得したアーカイブファイルは、端末装置４０に予めインストールされている解凍用のアプリケーション・ソフトウェア（図示省略）を用いて、ユーザの操作に従って、あるいは、自動的に解凍され、複数のシングルページファイルとして取得される。
【０１２７】
このように本実施形態によれば、Ｗｅｂブラウザの種別が「Ｊａｖａ Ｓｃｒｉｐｔ Ｆｉｌｅ ＡＰＩ」を利用できない種別であっても、１回のファイル転送要求に対して、複数のシングルページファイルが得られる。
【０１２８】
以上、実施形態として、ファイル転送システム、画像処理装置の一例としての画像形成装置、及び端末装置を例示して説明した。実施形態は、画像処理装置及び端末装置の各々が備える各部の機能をコンピュータに実行させるためのプログラムの形態としてもよい。実施形態は、このプログラムを記憶したコンピュータが読み取り可能な記憶媒体の形態としてもよい。
【０１２９】
その他、上記実施形態で説明した画像処理装置及び端末装置の各々の構成は、一例であり、主旨を逸脱しない範囲内において状況に応じて変更してもよい。
【０１３０】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１３１】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１３２】
１０   画像形成装置
１２   制御部
１２Ａ ＣＰＵ
１２Ｂ ＲＯＭ
１２Ｃ ＲＡＭ
１２Ｄ Ｉ／Ｏ
１４   記憶部
１４Ａ 転送処理プログラム
１６   表示部
１８   操作部
２０   画像形成部
２２   原稿読取部
２４   通信部
３０   作成部
３２   送信部
４０、４１    端末装置
４２   制御部
４２Ａ ＣＰＵ
４２Ｂ ＲＯＭ
４２Ｃ ＲＡＭ
４２Ｄ Ｉ／Ｏ
４４   記憶部
４４Ａ ブラウザプログラム
４６   表示部
４８   操作部
５０   通信部
６０、６１    表示制御部
６２   送信部
６４   分割部
６６、６７    格納部
９０   ファイル転送システム
【図１】
2019168988.tif 000003
【図２】
2019168988.tif 000004
【図３】
2019168988.tif 000005
【図４】
2019168988.tif 000006
【図５】
2019168988.tif 000007
【図６】
2019168988.tif 000008
【図７】
2019168988.tif 000009
【図８】
2019168988.tif 000010
【図９】
2019168988.tif 000011
【図１０】
2019168988.tif 000012
【図１１】
2019168988.tif 000013
【図１２】
2019168988.tif 000014
【図１３】
2019168988.tif 000015
【図１４】
2019168988.tif 000016
【図１５】
2019168988.tif 000017
【図１６】
2019168988.tif 000018
【図１７】
2019168988.tif 000019
【図１８】
2019168988.tif 000020